(57)【特許請求の範囲】
【請求項１】
実装面と対向する端子台（６）の下面の一部に形成した凹段部状の切欠部（９）に下部フェライトコア半体（１）の平板部（２）を収納させてその下面（２ａ，６ａ）同士をほぼ面一にし、該下面（２ａ，６ａ）に接着剤（１８）を塗布して端子台（６）と下部フェライトコア半体（１）とを一体化し、下部フェライトコア半体（１）に上部フェライトコア半体（１２）を重ね合わせて一体化するとともに、上部・下部フェライトコア半体（１２，１）の中央脚（１５，４）に偏平コイル（１１）を巻装してなる薄型トランスにおいて、接着剤（１８）の塗布箇所に凹部（１０）を形成したことを特徴とする薄型トランス。
【発明の詳細な説明】
【０００１】
【産業上の利用分野】
本発明は、ＩＣカードサイズ通信インターフェイスなどに使用される面実装タイプの薄型トランスに関する。
【０００２】
【従来の技術】
この種のトランスとしては、例えば図５に示すように、端子台２０の切欠部２１に下部フェライトコア半体２２の平板部２３を収納させてその下面同士をほぼ面一にし、該下面に接着剤２４を塗布して端子台２０と下部フェライトコア半体２２とを一体化し、また、下部フェライトコア半体２２に上部フェライトコア半体２５を重ね合わせて一体化するとともに、上部・下部フェライトコア半体２５，２２の中央脚２６，２７に偏平コイル２８を巻装してなるものが、知られている。
【０００３】
【発明が解決しようとする課題】
しかし、この薄型トランスは、単に端子台２０と下部フェライトコア半体２２の下面に接着剤２４を塗布しただけの構造であるため、接着剤２４が下面に突出する。この場合、面実装タイプの薄型トランスは、その下面とプリント基板Ｂとの間のクリアランスは僅かであるため、接着剤２４が突出しないことが好ましい。
【０００４】
本発明は、このような事情に鑑み、接着剤が下面から下方に突出しないようにし、かつ併せて接着剤が流れ出すことを防止し、確実に下部フェライトコア半体と端子台とを接着し得る薄型トランスを提供することを目的とする。
【０００５】
【課題を解決するための手段】
上記課題を解決するために本発明は、実装面と対向する端子台６の下面の一部に形成した凹段部状の切欠部９に下部フェライトコア半体１の平板部２を収納させてその下面２ａ，６ａ同士をほぼ面一にし、該下面２ａ，６ａに接着剤１８を塗布して端子台６と下部フェライトコア半体１とを一体化し、下部フェライトコア半体１に上部フェライトコア半体１２を重ね合わせて一体化するとともに、上部・下部フェライトコア半体１２，１の中央脚１５，４に偏平コイル１１を巻装してなる薄型トランスにおいて、接着剤１８の塗布箇所に凹部１０を形成したことを特徴とする。
【０００６】
【作用】
本発明の薄型トランスでは、接着剤１９の塗布箇所に凹部１０を形成してあるので、この凹部１０内に接着剤１９が収まり、下面から殆ど食み出さなくなる。したがって、接着剤１９が下方に突出することを防止できる。また、塗布した接着剤１９は凹部１０内に溜り、端子台６と下部フェライトコア半体１の平板部２の下面上に流れ出す虞もなく、確実な接着が期待できる。
【０００７】
【実施例】
図３は本発明の薄型トランスの分解斜視図を示している。
同図において、１は断面がほぼＥ型形状をなす下部フェライトコア半体で、平板部２の両端から上方に延出する両端脚３，３と、平板部２の中央に突出する中央脚４とを備えている。また、両端脚３，３の外側面の両側には凹部５をそれぞれ二箇所形成してある。
【０００８】
６はエポキシ樹脂などで成形した矩形状の端子台で、その下部両端に形成した肉厚部６ｂには複数の端子７をそれぞれ植設してある。これら端子７は、プリント基板に対する面実装を可能にすべく、その先端をＬ型に折り曲げてある。端子台６は中央部の上面側に角筒状の巻胴８を備えている。なお、６ｃは引出線引出溝である。また、端子台６の下面６ａには、図１に示すように、下部フェライトコア半体１の平板部２と対応する形状の凹段部状の切欠部９を形成するとともに、該切欠部９に隣接させて肉厚部６ｂ側に凹部１０を三箇所形成してある。すなわち、一方の肉厚部６ｂ（図中左側）の下面は内側に向かってくの字状に突出しており、その先端中央部に凹部１０が一つ形成されている。また、他方の肉厚部６ｂ（図中右側）の下面は長方形をなし、その両側にそれぞれ凹部１０が形成されている。
【０００９】
再び図３において、１１は端子台６の巻胴８の外周に装着する偏平コイルで、自己融着性を有する電線をリング状に巻回し、熱接着または溶剤接着によって各電線を互いに一体化し、かつ治具で上下方向から押圧して偏平にしたものである。
【００１０】
１２は下部フェライトコア半体１と同形状の上部フェライトコア半体で、平板部１３の両端から下方に延出する両端脚１４，１４と、平板部２の中央に突出する中央脚１５とを備えている。また、これら両端脚１４，１４の外側面には凹部５をそれぞれ二箇所形成してある。１６は偏平コイル１１と上部フェライトコア半体１２の平板部１３との間に介装する絶縁フィルムで、その中央部には窓１７を形成してある。
【００１１】
次に、この薄型トランスの組立方法について説明する。
端子台６の巻胴８の外周に偏平コイル１１を装着し、その引出線（図示せず）を引出線引出溝６ｃを介し、端子台６の各端子７に接続する。
【００１２】
また、端子台６の巻胴８の中空部にほぼ対応した形状に形成された下部フェライトコア半体１の中央脚４を嵌入し、端子台６の切欠部９に下部フェライトコア半体１の平板部２を収納させてから、図４に示すように、端子台６の各凹部１０内に接着剤１８をそれぞれ塗布して端子台６と下部フェライトコア半体１とを互いに固定する。このとき、端子台６の切欠部９の深さは下部フェライトコア半体１の平板部２の肉厚と同じにしてあるので、下部フェライトコア半体１の平板部２の下面２ａは、図１に示すように、端子台６の下面６ａ、つまり肉厚部６ｂの下面とほぼ面一になる。
【００１３】
また、絶縁フィルム１６をその窓１７を端子台６の巻胴８の中空部に位置決めさせつつ偏平コイル１１上に絶縁フィルム１６を被せてから、下部フェライトコア半体１に上部フェライトコア半体１２をその両端脚３，１４同士を当接させて重ね合わせる。このとき、上部フェライトコア半体１２の中央脚１５が端子台６の巻胴８に嵌入し、その端面が下部フェライトコア半体１の中央脚４の端面に当接するとともに、巻胴８の上端に上部フェライトコア半体１２の平板部１３が当接する。最後に、図２に示すように、両端脚３，１４の各凹部５に接着剤１８をそれぞれ塗布して上部・下部フェライトコア半体１２，１を互いに固定すればよい。
【００１４】
なお、本実施例では、端子台６の下面に凹部１０を形成してあるが、この凹部１０を、下部フェライトコア半体１の平板部２側あるいは端子台６と下部フェライトコア半体１の平板部２の双方に跨るように形成してもよい。
【００１５】
【発明の効果】
本発明によれば、凹部１０内に接着剤１８が収まり、下部フェライトコア半体１の平板部２と端子台６の下面２ａ，６ａから殆ど食み出さなくなるので、接着剤１８が下方に突出することがない。
また、塗布した接着剤が流れ出すことがないため、確実に下部フェライトコア半体１と端子台６とを接着することができる。
【図面の簡単な説明】
【図１】本発明の薄型トランスを示す図で、下部フェライトコア半体の端子台に対する組付状態を裏面側から見た斜視図である。
【図２】同薄型トランスの斜視図である。
【図３】同薄型トランスの分解斜視図である。
【図４】図１に示したＡ−Ａ線による断面図である。
【図５】従来の薄型トランスの縦断面図である。
【符号の説明】
１  下部フェライトコア半体
２  平板部
３  両端脚
４  中央脚
５  凹部
６  端子台
７  端子
８  巻胴
９  切欠部
１０  凹部
１１  偏平コイル
１２  上部フェライトコア半体
１３  平板部
１４  両端脚
１５  中央脚
１６  絶縁フィルム
１７  窓
１８  接着剤
１９  接着剤
【図１】
0003571094.tif 000002
【図２】
0003571094.tif 000003
【図３】
0003571094.tif 000004
【図４】
0003571094.tif 000005
【図５】
0003571094.tif 000006